(57)【要約】【課題】電線による車室内空間の圧迫と、電線の傷付きとを同時に抑制できる電線配索構造及び車両用回路体を提供する。【解決手段】車両の電線配索構造において、フロアパネル１５の車室内面１３に設けられた収容溝１１と、収容溝１１に少なくとも一部分が収容される配索材４１と、配索材４１を収容溝１１に収容保持する渡り板３３と、を設けた。【選択図】図１
2019089398.tif 000002
【特許請求の範囲】
【請求項１】
ボディパネルの車室内面に設けられた収容凹部と、
前記収容凹部に少なくとも一部分が収容される電線と、
前記電線を前記収容凹部に収容保持する保持部材と、
を備えることを特徴とする電線配索構造。
【請求項２】
前記保持部材が、前記収容凹部の長手方向に交差して架設された渡り板であることを特徴とする請求項１に記載の電線配索構造。
【請求項３】
前記保持部材が、前記収容凹部と前記電線の間に設けられた接着層であることを特徴とする請求項１に記載の電線配索構造。
【請求項４】
前記電線が、衝撃吸収部材を介して前記収容凹部に収容されていることを特徴とする請求項１又は請求項２に記載の電線配索構造。
【請求項５】
前記収容凹部が、前記ボディパネルにおけるセンタートンネルの肩部に設けられていることを特徴とする請求項１〜４の何れか１項に記載の電線配索構造。
【請求項６】
所定の電流容量を有する電源ラインを有して車体に配索される幹線と、
電装品負荷に接続される枝線と、
前記幹線に供給される前記電源ラインの電力を前記幹線に接続される前記枝線へ分配するための制御部を有し、前記幹線に沿って分散配置された複数の制御ボックスと、を備える車両用回路体であって、
前記幹線及び前記枝線の少なくとも一方が、ボディパネルの車室内面に設けられた収容凹部に少なくとも一部分が収容される電線で構成され、保持部材により前記収容凹部に収容保持されることを特徴とする車両用回路体。
【請求項７】
前記電線が、平型導体、丸棒導体及び撚り線のうち少なくとも一種類の導体を有する配索材で構成されることを特徴とする請求項６に記載の車両用回路体。
【発明の詳細な説明】
【技術分野】
【０００１】
本発明は、電線配索構造及び車両用回路体に関する。
【背景技術】
【０００２】
車両などに適応され、各種電装品負荷などに対して電力を分配供給する電力分配システムが知られている（例えば特許文献１参照）。車体は、例えばエンジンルームと、エンジンルームの後方に配設された乗車室やトランクルームなどの車室と、に分かれている。エンジンルームには、所定電圧の電力を供給するバッテリやオルタネータなどの電源部と、この電源部に接続されて電力を分配しているジョイントボックスなどの電気接続箱と、ヘッドランプなどの各種電装品負荷と、が配設されている。また、車室には、ジョイントボックスに接続されて供給された電力をさらに各種負荷に分配する電気接続箱と、メータ類のイルミネーションや各種スイッチなどの各種電装品負荷と、が配設されている。そして、これらの電気接続箱は、幹線を介して接続され、さらに各種電装品負荷に支線を介して接続される。これら幹線や枝線による電線配索構造は、従来、車体パネルの車室側に配索されるのが一般的であった。
【０００３】
また、例えば、リアバッテリ車両においては、リアからフロントに電気を送る長尺のバッテリーケーブル（電線）が必要になる。バッテリーケーブルとしては、自動車用の丸型又は平型の太物電線が一般に使用されている。そして、このようなバッテリーケーブルも、車体パネルの車室側に配索されるのが一般的であった。
【先行技術文献】
【特許文献】
【０００４】
【特許文献１】特開平９−２７５６３２号公報
【発明の概要】
【発明が解決しようとする課題】
【０００５】
しかしながら、従来の電線配索構造は、幹線や枝線における電線が多回路の場合、車室内側に出っ張る配索スペースが大きくなり、車室内居住空間を圧迫する。特に、電線が、外径の大きい幹線（所謂、太物電線）である場合には、車室内居住空間の圧迫が顕著となる。更に、従来の電線配索構造は、足元に電線を配索する場合、フロアパネル（アンダーボディ）から電線が出っ張るため、足踏みによる荷重応力が電線に集中し、電線の傷付きが懸念される。また、リアバッテリ車両のバッテリーケーブルが車室内に配索される場合にも、同様の問題がある。
【０００６】
本発明は上記状況に鑑みてなされたもので、その目的は、電線による車室内空間の圧迫と、電線の傷付きとを同時に抑制できる電線配索構造及び車両用回路体を提供することにある。
【課題を解決するための手段】
【０００７】
本発明に係る上記目的は、下記構成により達成される。
（１）  ボディパネルの車室内面に設けられた収容凹部と、前記収容凹部に少なくとも一部分が収容される電線と、前記電線を前記収容凹部に収容保持する保持部材と、を備えることを特徴とする電線配索構造。
【０００８】
上記（１）の構成の電線配索構造によれば、ボディパネルの車室内面に、収容凹部が形成される。収容凹部には、電線の少なくとも一部分が収容される。電線は、保持部材により収容凹部に保持される。収容凹部に収容された電線は、凹部開口よりも凹部外側へは突出しない。従って、電線が車室内面よりも車室側へ出っ張ることによる車室内居住空間の圧迫が生じない。収容凹部は、ボディパネルが例えば乗車室のフロアパネルである場合、足踏みによる荷重応力が、凹部幅を挟む両側の凹部縁に支持され、電線に集中し難くなる。そのため、電線の傷付きが回避可能となる。
【０００９】
（２）  前記保持部材が、前記収容凹部の長手方向に交差して架設された渡り板であることを特徴とする上記（１）に記載の電線配索構造。
【００１０】
上記（２）の構成の電線配索構造によれば、安価な部材を使用した渡り板によって、所望の位置に、容易な取り付け作業で、電線を収容凹部に保持できる。
【００１１】
（３）  前記保持部材が、前記収容凹部と前記電線の間に設けられた接着層であることを特徴とする上記（１）に記載の電線配索構造。
【００１２】
上記（３）の構成の電線配索構造によれば、長尺の電線を、収容凹部の長手方向に渡って（連続して）、広範囲で収容凹部に固定できる。
【００１３】
（４）  前記電線が、衝撃吸収部材を介して前記収容凹部に収容されていることを特徴とする上記（１）又は（２）に記載の電線配索構造。
【００１４】
上記（４）の構成の電線配索構造によれば、収容凹部に収容された電線に対し、凹部開口から電線に直接加えられる衝撃や、ボディパネルの変形による応力、車室外面よりボディパネルを介して加えられる衝撃などを、衝撃吸収部材により吸収できる。また、衝撃吸収部材は、収容凹部と電線との隙間を埋めることにより、電線のがたつきや振動による擦れも抑制できる。
【００１５】
（５）  前記収容凹部が、前記ボディパネルにおけるセンタートンネルの肩部に設けられていることを特徴とする上記（１）〜（４）の何れか１つに記載の電線配索構造。
【００１６】
上記（５）の構成の電線配索構造によれば、電線の少なくとも一部分が、ボディパネルの車室内面に連続して隆起したセンタートンネルの肩部に形成された収容凹部に収容される。センタートンネルは、長手方向直交断面が四角形状で隆起している。収容凹部は、この四角形状の左右何れかの肩部を断面Ｌ字に切り欠くことにより、センタートンネルの延在方向に沿って形成される。この電線配索構造によれば、平面状の車室内面に限らず、車室内面の隆起部分（突出部分）にも、車室内居住空間を圧迫せずに、電線を配索することができる。
【００１７】
（６）  所定の電流容量を有する電源ラインを有して車体に配索される幹線と、電装品負荷に接続される枝線と、前記幹線に供給される前記電源ラインの電力を前記幹線に接続される前記枝線へ分配するための制御部を有し、前記幹線に沿って分散配置された複数の制御ボックスと、を備える車両用回路体であって、前記幹線及び前記枝線の少なくとも一方が、ボディパネルの車室内面に設けられた収容凹部に少なくとも一部分が収容される電線で構成され、保持部材により前記収容凹部に収容保持されることを特徴とする車両用回路体。
【００１８】
上記（６）の構成の車両用回路体によれば、バッテリなどの主電源の電力を車体各部の各種電装品負荷に対してそれぞれ供給したり、電装品負荷同士の間で信号のやりとりを行うために必要な伝送経路としたりして、回路体の全体が利用される。車両用回路体は、所定の電流容量及び所定の通信容量を有して車体に配索される幹線と、この幹線に沿って分散配置された複数の制御ボックスを介して各種電装品負荷を幹線に接続する枝線とによって、単純な構造の回路を構成できる。そして、車両用回路体の幹線及び枝線を構成する少なくとも一方の電線が、ボディパネルの車室内面に設けられた収容凹部に収容され、保持部材により収容凹部に収容保持される。これにより、車両用回路体は、電線が車室内面よりも車室側へ出っ張ることによる車室内居住空間の圧迫が生じない。そして、車両用回路体は、各種電装品負荷の設置に伴って、車室内面の広範囲に渡って配索することが要求される。車両用回路体は、広範囲に渡って配索される幹線や枝線の少なくとも一部分が収容凹部に収容されることにより、電線が車室側へ出っ張る従来構造に比べ、車室内居住空間への圧迫を大幅に抑制することが可能となる。
【００１９】
（７）  前記電線が、平型導体、丸棒導体及び撚り線のうち少なくとも一種類の導体を有する配索材で構成されることを特徴とする上記（６）に記載の車両用回路体。
【００２０】
上記（７）の構成の車両用回路体によれば、複数の制御ボックス間における幹線毎に、車両の配索経路に適した導体を有する配索材で構成された電線を用いることができ、配索性が向上する。
【発明の効果】
【００２１】
本発明に係る電線配索構造によれば、電線による車室内空間の圧迫と、電線の傷付きとを同時に抑制できる。
本発明に係る車両用回路体によれば、車室内居住空間を圧迫することなく、しかも、保護した状態で、電線を車室内面に収容することができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】本発明の第１実施形態に係る電線配索構造を備えた電線の車両での配索例を表す斜視図である。
【図２】図１に示した電線配索構造の要部分解斜視図である。
【図３】図１に示した電線配索構造を説明するための要部拡大断面斜視図である。
【図４】図３に示した電線を収容凹部に収容保持する保持部材を説明するための要部拡大断面斜視図である。
【図５】（ａ）は収容凹部と電線の間に接着層が設けられた変形例に係る電線配索構造を説明する要部拡大断面図、（ｂ）は衝撃吸収部材を介して電線が収容凹部に収容された変形例に係る電線配索構造を説明する要部拡大断面図である。
【図６】参考例に係る電線配索構造を備えた車両での配索例を表す斜視図である。
【図７】図６に示した電線配索構造を説明するための要部拡大断面斜視図である。
【図８】本発明の第２実施形態に係る電線配索構造を備えた車両での配索例を表す要部拡大断面斜視図である。
【図９】本発明の第３実施形態に係る電線配索構造を説明するための要部拡大断面図である。
【図１０】本発明の第４実施形態に係る電線配索構造を備えた車両用回路体の車両での配索例を表す斜視図である。
【図１１】本発明の第５実施形態に係る電線配索構造を説明するための要部拡大断面斜視図である。
【発明を実施するための形態】
【００２４】
以下、本発明に係る実施形態を図面を参照して説明する。
［第１実施形態］
先ず、本発明の第１実施形態に係る電線配索構造を説明する。
図１は本発明の第１実施形態に係る電線配索構造を備えた電線の車両での配索例を表す斜視図である。
本第１実施形態に係る電線配索構造は、電線を収容する収容溝１１と、保持部材である渡り板３３と、を主要な構成として有する。
【００２５】
収容溝１１は、ボディパネルの車室内面１３に設けられる。収容溝１１は、電線を配索するための専用の収容凹部として凹設され、電線サイズや回路数に合わせて溝サイズが設計される。
【００２６】
本第１実施形態において、ボディパネルは、フロアパネル１５（アンダーボディ）である。なお、ボディパネルは、フロアパネル１５に限定されない。フロアパネル１５の車両幅方向の中央には、車両前後方向に延在するセンタートンネル１７が車室内面１３に突出して形成されている。この他、フロアパネル１５には、車両幅方向に延在してセンタートンネル１７と交差するフロントクロスメンバ１９やリアクロスメンバ２１が車室内面１３に突出して形成されている。フロアパネル１５のフロント（Ｆｒ）側にはオルタネータ２３等が配置され、フロアパネル１５のリア（Ｒｒ）側にはリアバッテリ２５やヒューズボックス２６等が配置される。
【００２７】
このようなリアバッテリ車両においては、リアからフロントに電気を送る電線としてのバッテリーケーブルが必要になる。本第１実施形態に係る電線配索構造では、この電線が収容溝１１に収容される。収容溝１１は、フロアパネル１５の例えば車両前後方向に延在して形成される。なお、収容溝１１の位置及び延在方向は、これに限定されない。収容溝１１は、フロアパネル１５の車室内面１３に形成され、車室内面１３に溝開口が開口している。ここで、収容溝１１は、溝長手方向に直交する方向が、溝幅とされる。
【００２８】
図２は図１に示した電線配索構造の要部分解斜視図である。
本第１実施形態において、収容溝１１は、図２に示すように、車両幅方向のセンタートンネル１７より左側のフロアパネル１５の車室内面１３に形成されている。また、収容溝１１は、フロントクロスメンバ１９やリアクロスメンバ２１を跨いで形成されている。そこで、収容溝１１は、前部収容溝２７と、中央収容溝２９と、後部収容溝３１とにより分断されて構成されている。これら前部収容溝２７、中央収容溝２９及び後部収容溝３１に収容された電線は、フロントクロスメンバ１９やリアクロスメンバ２１を跨ぐことにより車両前後方向に配索される。なお、収容溝１１は、フロアパネル１５の強度が確保できる場合や容易に成形が可能な場合（樹脂製フロアパネル等の場合）には、フロントクロスメンバ１９やリアクロスメンバ２１の車室内面１３（突出外面）にも凹設してよい。即ち、本発明の収容凹部は、ボディパネルにおける乗員や荷物等による荷重応力が作用する可能性がある部分の車室内面に少なくとも設けられていればよいが、電線の延在方向全長に亘って車室内空間におけるボディパネルの車室内面に設けられていてもよい。
収容溝１１に収容された電線は、後述する保持部材としての渡り板３３により保持される。
【００２９】
図３は図１に示した電線配索構造を説明するための要部拡大断面斜視図である。
本第１実施形態に係る収容溝１１は、図３に示すように、長手方向直交断面において、溝底３５が直線となる。溝開口は、この溝底３５と平行となる。収容溝１１は、溝深さが、溝幅より小さい扁平な矩形断面形状となる。収容溝１１の溝底３５は、長手方向直交断面において、溝幅方向両端が、平行な一対の溝側壁３７の下端に接続する。平行な一対の溝側壁３７の上端は、溝開口の溝縁３９（即ち、溝開口近傍の車室内面１３）と接続する。
【００３０】
ところで、収容溝１１に少なくとも一部分が収容される電線は、例えば平型導体、丸棒導体及び撚り線のうち少なくとも一種類の導体を有する配索材で構成される。本第１実施形態において、電線は、絶縁層４４で覆われた複数（本実施形態では２枚）の平型導体４２を積層した配索材４１で構成される。以下、配索材４１は、本発明に係る電線の下位概念として用いる。
【００３１】
配索材４１は、電気的に絶縁された２枚の平型導体４２を厚み方向に積層して構成されている。例えば、一方の平型導体４２が電源線（１２Ｖ線）、他方の平型導体４２がアース線（ＧＮＤ線）として用いられる。本第１実施形態において、配索材４１は、収容溝１１と同一断面形状で形成されている。従って、収容溝１１は、配索材４１が収容されることにより、収容溝１１を挟む左右の溝縁３９が、配索材４１の上面によって略同一平面で連続する（図４参照）。
【００３２】
図４は図３に示した配索材４１（電線）を収容溝１１に収容保持する保持部材を説明するための要部拡大断面斜視図である。
本第１実施形態の保持部材は、収容溝１１の長手方向に交差して架設された渡り板３３である。渡り板３３は、収容溝１１の溝幅方向に長い矩形平板状に形成され、長手方向両端に一対の固定穴４３，４３が穿設されている。フロアパネル１５には、収容溝１１を挟む溝開口の溝縁３９に、複数対のボルト貫通穴４５，４５が穿設される。渡り板３３は、配索材４１が収容された収容溝１１を跨いで、一対の固定穴４３，４３にそれぞれ通したボルト４７をフロアパネル１５の各対のボルト貫通穴４５，４５に貫通し、貫通先端にナット４９をそれぞれ螺合することにより配索材４１を収容溝１１に保持する。
【００３３】
図５の（ａ）は収容溝１１と配索材４１（電線）の間に接着層５１が設けられた変形例に係る電線配索構造を説明する要部拡大断面図、図５の（ｂ）は衝撃吸収部材５３を介して配索材４１（電線）が収容溝１１に収容された変形例に係る電線配索構造を説明する要部拡大断面図である。
【００３４】
本第１実施形態に係る電線配索構造は、保持部材が、上記の渡り板３３に限定されない。保持部材は、例えば図５の（ａ）に示す収容溝１１と配索材４１の間に設けられた接着層５１とすることができる。接着層５１は、例えば収容溝１１の溝底３５のみに設けた両面粘着テープとすることができる。この他、接着層５１は、接着剤を収容溝１１の溝底３５または配索材４１の下面に塗布することにより形成してもよい。
【００３５】
また、本第１実施形態の変形例に係る電線配索構造は、図５の（ｂ）に示すように、配索材４１が、衝撃吸収部材５３を介して収容溝１１に収容されてもよい。衝撃吸収部材５３としては、クッション性を有する発泡材や不織布などのシート材を用いることができる。この場合、シート材は、配索材４１と対向する面、或いは収容溝１１の溝底３５に対向する面に、接着層５１が設けられていてもよい。また、周囲にシート状又はテープ状の衝撃吸収部材が巻き付けられた配索材４１を収容溝１１に収容してもよい。
【００３６】
次に、上記した構成の作用を説明する。
上記第１実施形態に係る電線配索構造の作用を説明するに先立ち、参考例に係る電線配索構造の作用を説明する。
図６は参考例に係る電線配索構造を備えた車両での配索例を表す斜視図、図７は図６に示した電線配索構造を説明するための要部拡大断面斜視図である。
参考例に係る電線配索構造は、図６に示すように、配索材４１がフロアパネル１５に沿わせて車両前後方向に配索される。図７に示すように、配索材４１は、フロアパネル１５の車室内面１３から突出して配索される。配索材４１は、配索材４１の外周を幅方向に跨ぐ高背のクランプ５５によりフロアパネル１５に保持される。
【００３７】
この参考例による電線配索構造では、配索材４１が多回路の場合、複数の平型導体４２を積層するため、高さ方向に配索スペースが必要になる。このため、車室内居住空間を圧迫することとなる。また、参考例による電線配索構造では、足元に配索材４１を配索した場合、足踏みによる電線の傷付きが懸念される。
【００３８】
これに対し、本第１実施形態に係る電線配索構造では、図４に示したように、ボディパネルにおける乗員や荷物等による荷重応力が作用する可能性がある部分の車室内面１３に、収容溝１１が形成される。収容溝１１は、車室内面１３に溝開口が開口し、配索材４１が収容される。配索材４１は、渡り板３３により収容溝１１に保持される。収容溝１１に収容された配索材４１は、溝開口よりも溝外側へは突出しない。従って、配索材４１が車室内面１３よりも車室側へ出っ張ることによる車室内居住空間の圧迫が生じない。
【００３９】
また、収容溝１１は、ボディパネルである乗車室のフロアパネル１５に形成されるので、溝幅が一般人の足幅よりも小さく設定される。従って、足踏みによる荷重応力は、溝幅を挟む両側の溝縁３９に支持され、配索材４１に集中し難くなる。そのため、配索材４１の傷付きが回避可能となる。これにより、足踏み対策用の電線保護プロテクタや外装等を削減でき、配索材４１を含むワイヤハーネスをコストダウンできる。
【００４０】
更に、配索材４１が、収容溝１１と略同一の扁平な矩形断面形状を有する平型に形成されるので、収容溝１１は、配索材４１が収容されることにより、収容溝１１を挟む左右の溝縁３９が、配索材４１の上面によって略同一平面で連続する。このような平型の配索材４１を収容した収容溝１１では、フロアパネル１５がカーペット等により覆われた場合、電線保護プロテクタ等を用いることなく凹凸のない平坦なフロアカーペット面とすることができ、見栄えの低下、足踏み時の違和感を無くすことができる。
【００４１】
また、平型の配索材４１が略同一断面形状の収容溝１１に嵌合するように収容される構造では、収容溝１１内での配索材４１のがたつきや振動を抑制できる。これにより、異音の発生や配索材４１の擦れ抑制によって、耐久性を向上させることもできる。
また、本第１実施形態に係る電線配索構造では、保持部材を渡り板３３とすることにより、安価な部材を使用した渡り板３３によって、所望の位置に、容易な取り付け作業で、配索材４１を収容溝１１に保持できる。
【００４２】
また、図５の（ａ）に示した本第１実施形態の変形例に係る電線配索構造では、保持部材が接着層５１とされることにより、長尺の配索材４１を、収容溝１１の長手方向に渡って（連続して）、広範囲で収容溝１１に固定できる。
【００４３】
更に、図５の（ｂ）に示した本第１実施形態の変形例に係る電線配索構造では、配索材４１の少なくとも一部分が衝撃吸収部材５３を介して収容溝１１に収容される。この構成により、収容溝１１に収容された配索材４１に対し、溝開口から配索材４１に直接加えられる衝撃や、フロアパネル１５の変形による応力、車室外面よりフロアパネル１５を介して加えられる衝撃などを、衝撃吸収部材５３により吸収できる。また、衝撃吸収部材５３は、収容溝１１と配索材４１との隙間を埋めることにより、配索材４１のがたつきや振動による異音や擦れも抑制できる。
【００４４】
［第２実施形態］
次に、本発明の第２実施形態に係る電線配索構造を説明する。
図８は本発明の第２実施形態に係る電線配索構造を備えた車両での配索例を表す要部拡大断面斜視図である。なお、本第２実施形態の電線配索構造においては、上記第１実施形態で説明した配索構造と同一の構成に同一の符号を付して重複する説明は省略する。
【００４５】
本第２実施形態に係る電線配索構造は、図８に示すように、ボディパネルとしてのサイドシル５９に設けられている。サイドシル５９には、センターピラー６１が起立している。本第２実施形態に係る収容溝１１Ａは、フロアパネル１５の左右両側に設けられたサイドシル５９の車室内面１３（内側面）に、車両前後方向に沿って凹設された収容凹部である。車室外方に膨出した収容溝１１Ａの膨出部６５は、サイドシル５９のフレーム空間６３に収容される。サイドシル５９の車室内面１３を貫通したボルト４７は、サイドシル５９の背面に固定された溶接ナット（不図示）に螺合して渡り板３３を固定する。他の構成は、上記第１実施形態に係る電線配索構造と同様である。
【００４６】
本第２実施形態に係る電線配索構造によれば、収容溝１１Ａがサイドシル５９に形成されるので、フロアパネル１５に収容溝１１を設けることなく、車室内居住空間を圧迫せずに、配索材４１を配索することができる。また、収容溝１１Ａの膨出部６５をフレーム空間６３に隠すことができる。
【００４７】
［第３実施形態］
次に、本発明の第３実施形態に係る電線配索構造を説明する。
図９は本発明の第３実施形態に係る電線配索構造を説明するための要部拡大断面図である。なお、本第３実施形態の電線配索構造においては、上記第１実施形態で説明した電線配索構造と同一の構成に同一の符号を付して重複する説明は省略する。
本第３実施形態に係る電線配索構造は、図９に示すように、収容切欠き部１１Ｂが、ボディパネルとしてのフロアパネル１５におけるセンタートンネル１７の肩部６７に設けられている。
【００４８】
配索材４１Ａは、絶縁層４４で覆われた３枚の平型導体４２が積層されており、フロアパネル１５の車室内面１３に連続して隆起したセンタートンネル１７の肩部６７に形成された収容切欠き部１１Ｂに収容される。センタートンネル１７は、長手方向直交断面が四角形状に隆起している。収容切欠き部１１Ｂは、この四角形状の左右何れかの肩部６７を断面Ｌ字状に切り欠くことにより、センタートンネル１７の延在方向に沿って形成される。断面Ｌ字状に切り欠かれた収容凹部である収容切欠き部１１Ｂに収容される配索材４１Ａは、Ｌ字形状の渡り板６９により保持される。他の構成は、上記第１実施形態に係る電線配索構造と同様である。
【００４９】
本第３実施形態に係る電線配索構造では、平面状のフロアパネル１５の車室内面１３に限らず、車室内面１３の隆起部分（突出部分）であるセンタートンネル１７に収容凹部としての収容切欠き部１１Ｂが形成されるので、車室内居住空間を圧迫せずに、配索材４１Ａを配索することができる。
【００５０】
［第４実施形態］
次に、本発明の第４実施形態に係る電線配索構造を説明する。
図１０は本発明の第４実施形態に係る電線配索構造を備えた車両用回路体７１の車両での配索例を表す斜視図である。なお、本第４実施形態に係る電線配索構造においては上記第１実施形態で説明した電線配索構造と同一の構成に同一の符号を付して重複する説明は省略する。
【００５１】
本第４実施形態に係る電線配索構造を備えた車両用回路体７１は、図１０に示すように、電線である幹線７３と、電線である枝線７５と、制御部（図示略）を有する制御ボックス７７と、を備える。
車両用回路体７１は、幹線７３及び枝線７５が、例えば平型導体、丸棒導体及び撚り線のうち少なくとも一種類の導体を有する配索材で構成される。本第４実施形態では、幹線７３及び枝線７５が、絶縁層４４で覆われた複数の平型導体４２を積層した配索材４１で構成されている。
【００５２】
幹線７３は、所定の電流容量を有する電源ラインを有して車体に配索される電線である。枝線７５は、各種の電装品負荷に接続される電線である。本第４実施形態では、これら幹線７３及び枝線７５が、配索材４１で構成される。制御部は、幹線７３に供給される電源ラインの電力を、幹線７３に接続される電装品負荷へ直接、或いは枝線７５を介して分配する。制御ボックス７７は、幹線７３に沿って複数のものが分散配置される。幹線７３に接続された制御ボックス７７には、枝線７５が接続される。
【００５３】
本第４実施形態において、幹線７３は、主にセンタートンネル１７Ａの上面に凹設された収容凹部としての収容溝１１Ｃに収容され、フロントクロスメンバ１９Ａとリアクロスメンバ２１Ａとを跨いで車両前後方向に配索されると共に、インパネに沿って配索されるＴ字状に構成されている。収容溝１１Ｃは、前部収容溝２７と、中央収容溝２９と、後部収容溝３１とにより分断されて構成されている。
【００５４】
また、枝線７５は、センタートンネル１７Ａを跨いでフロアパネル１５の車両左右方向に形成された収容凹部としての収容溝１１Ｄに収容されて配索される。枝線７５は、それぞれの電装品負荷にコネクタ或いは配索材接続部により直接導通接続される。この電線配索構造では、幹線７３、制御ボックス７７、枝線７５を利用して、バッテリから車両の各所の電装品負荷へ電源を供給することができる。
【００５５】
本第４実施形態に係る車両用回路体７１では、バッテリなどの主電源の電力を車体各部の電装品負荷に対してそれぞれ供給したり、電装品同士の間で信号のやりとりを行うために必要な伝送経路としたりして、回路体の全体が利用される。
【００５６】
車両用回路体７１は、所定の電流容量及び所定の通信容量を有して車体に配索される幹線７３と、この幹線７３に沿って分散配置された複数の制御ボックス７７を介して電装品負荷を幹線７３に接続する枝線７５とによって、単純な構造の回路を構成できる。
【００５７】
そして、車両用回路体７１の幹線７３及び枝線７５を構成する電線（配索材４１）が、フロアパネル１５の車室内面１３に設けられた収容溝１１Ｃ，１１Ｄに収容され、渡り板３３により収容溝１１Ｃ，１１Ｄに収容保持される。これにより、車両用回路体７１は、幹線７３及び枝線７５が車室内面１３よりも車室側へ出っ張ることによる車室内居住空間の圧迫が生じない。
【００５８】
車両用回路体７１は、各種電装品負荷の設置に伴って、車室内面１３の広範囲に渡って配索することが要求される。車両用回路体７１は、広範囲に渡って配索される幹線７３や枝線７５の少なくとも一部分が収容溝１１Ｃや収容溝１１Ｄに収容されることにより、幹線７３及び枝線７５が車室側へ出っ張る構造に比べ、車室内居住空間への圧迫を大幅に抑制することが可能となる。
【００５９】
また、本第４実施形態に係る車両用回路体７１では、幹線７３及び枝線７５が、平型導体、丸棒導体及び撚り線のうち少なくとも一種類の導体を有する配索材（本第４実施形態では、平型導体４２を有する配索材４１）で構成されるので、複数の制御ボックス７７間における幹線７３毎に、車両の配索経路に適した導体を有する配索材で構成された電線を用いることができ、配索性が向上する。
【００６０】
［第５実施形態］
次に、本発明の第５実施形態に係る電線配索構造を説明する。
図１１は本発明の第５実施形態に係る電線配索構造を説明するための要部拡大断面斜視図である。なお、本第５実施形態の電線配索構造においては、上記第１実施形態の電線配索構造で説明した構成と同一の構成に同一の符号を付して重複する説明は省略する。
【００６１】
本第５実施形態に係る電線配索構造は、図１１に示すように、電線が、絶縁層４４で絶縁被覆された丸棒導体７９を有する複数の配索材７６を同一平面上で平行に並べて形成される。他の構成は、上記第１実施形態と同様である。
本第５実施形態に係る電線配索構造によれば、入手の容易な丸棒導体７９を使用することにより、配索材７６を安価に構成することができる。
【００６２】
従って、上記各実施形態に係る電線配索構造によれば、電線による車室内空間の圧迫と、電線の傷付きとを同時に抑制できる。
また、上記実施形態に係る車両用回路体７１によれば、車室内居住空間を圧迫することなく、しかも、保護した状態で、幹線７３及び枝線７５を車室内面１３に設けた収容溝１１Ｃ及び収容溝１１Ｄに収容することができる。
【００６３】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００６４】
ここで、上述した本発明に係る電線配索構造及び車両用回路体の実施形態の特徴をそれぞれ以下［１］〜［７］に簡潔に纏めて列記する。
［１］  ボディパネル（フロアパネル１５，サイドシル５９，センタートンネル１７）の車室内面（１３）に設けられた収容凹部（収容溝１１，１１Ａ、収容切欠き部１１Ｂ）と、
前記収容凹部（収容溝１１，１１Ａ、収容切欠き部１１Ｂ）に少なくとも一部分が収容される電線（配索材４１）と、
前記電線を前記収容凹部に収容保持する保持部材（渡り板３３）と、
を備えることを特徴とする電線配索構造。
［２］  前記保持部材が、前記収容凹部（収容溝１１，１１Ａ、収容切欠き部１１Ｂ）の長手方向に交差して架設された渡り板（３３，６９）であることを特徴とする上記［１］に記載の電線配索構造。
［３］  前記保持部材が、前記収容凹部（収容溝１１）と前記電線（配索材４１）の間に設けられた接着層（５１）であることを特徴とする上記［１］に記載の電線配索構造。
［４］  前記電線（配索材４１）が、衝撃吸収部材（５３）を介して前記収容凹部（収容溝１１）に収容されていることを特徴とする上記［１］又は［２］に記載の電線配索構造。
［５］  前記収容凹部（収容切欠き部１１Ｂ）が、前記ボディパネル（フロアパネル１５）におけるセンタートンネル（１７）の肩部（６７）に設けられていることを特徴とする上記［１］〜［４］の何れか１つに記載の電線配索構造。
［６］  所定の電流容量を有する電源ラインを有して車体に配索される幹線（７３）と、
電装品負荷に接続される枝線（７５）と、
前記幹線に供給される前記電源ラインの電力を前記幹線に接続される前記枝線へ分配するための制御部を有し、前記幹線に沿って分散配置された複数の制御ボックス（７７）と、を備える車両用回路体であって、
前記幹線及び前記枝線の少なくとも一方が、ボディパネル（フロアパネル１５）の車室内面（１３）に設けられた収容凹部（収容溝１１Ｃ，収容溝１１Ｄ）に少なくとも一部分が収容される電線（配索材４１）で構成され、保持部材（渡り板３３）により前記収容凹部（収容溝１１Ｃ，収容溝１１Ｄ）に収容保持されることを特徴とする車両用回路体（７１）。
［７］  前記電線が、平型導体（４２）、丸棒導体及び撚り線のうち少なくとも一種類の導体を有する配索材（４１）で構成されることを特徴とする上記［６］に記載の車両用回路体（７１）。
【符号の説明】
【００６５】
１１…収容溝（収容凹部）
１３…車室内面
１５…フロアパネル（ボディパネル）
１７…センタートンネル
３３…渡り板（保持部材）
４１…配索材（電線）
【図１】
2019089398.tif 000003
【図２】
2019089398.tif 000004
【図３】
2019089398.tif 000005
【図４】
2019089398.tif 000006
【図５】
2019089398.tif 000007
【図６】
2019089398.tif 000008
【図７】
2019089398.tif 000009
【図８】
2019089398.tif 000010
【図９】
2019089398.tif 000011
【図１０】
2019089398.tif 000012
【図１１】
2019089398.tif 000013